(57)【要約】【課題】良好に温度調節機能が発揮するため、十分に湯と水とが混合された混合水の温度によって感温素子の全体に亘って反応し、さらに流量調節したときに良好な温度調節機能の妨げとなる内部圧力の影響を軽減した温度調節機能部を有する湯水混合栓を提供する。【解決手段】水側ポートと湯側ポートとからそれぞれ流入した水及び湯の混合量を調節する弁体と、該弁体に当接して湯と水の混合を促進させるスペーサーと、該スペーサーを介して前記弁体を駆動する感温素子と、該感温素子を内部に配置して湯と水とを混合した混合水を流出する混合水流出口を備えた水側ソケットと、感温素子が付勢する方向と逆に弁体を付勢するバイアススプリングと、を備えた温度調節機能部を水栓本体内部に配置した湯水混合栓において、前記感温素子の中央部流路の中心軸に沿って湯水の混合を促進させる混合ガイドを備え、かつ、該混合ガイドを水側ソケットに着脱自在に固定したこと。【選択図】図３
2004251383.tif 000002
【特許請求の範囲】
【請求項１】
水側ポートおよび湯側ポートと、該水側ポートと湯側ポートとからそれぞれ流入した水及び湯の混合量を調節する弁体と、該弁体に当接して湯と水の混合を促進させるスペーサーと、該スペーサーを介して前記弁体を駆動する感温素子と、該感温素子を内部に配置して湯と水とを混合した混合水を流出する混合水流出口を備えた水側ソケットと、感温素子が付勢する方向と逆に弁体を付勢するバイアススプリングと、を備えた温度調節機能部を水栓本体内部に配置した湯水混合栓において、
前記感温素子の中央部流路の中心軸に沿って湯水の混合を促進させる混合ガイドを備え、かつ、該混合ガイドを水側ソケットに着脱自在に固定したことを特徴とする湯水混合栓。
【請求項２】
前記スペーサーの弁体側の端部には、流入する水を旋回させるためのフィンを備えており、かつ、混合ガイドの先端が、このフィンの配置している範囲内に納められているを特徴とする請求項１に記載の湯水混合栓。
【請求項３】
前記混合ガイドは、感温素子の中央部流路の中心軸に沿って配置される本体の一端に湾曲面を有する本体端部を備え、他端部に複数の脚を備えるとともに、該脚に座を設け、該座にさらに爪を設けており、
前記混合ガイドは、水側ソケットの混合水流出口の端部に座と爪とで挟み込むようにして固定し、かつ、水側ソケットは、水栓本体内部に配置するハウジングに螺合接続することを特徴とする請求項１に記載の湯水混合栓。
【発明の詳細な説明】
【０００１】
【発明の属する技術分野】
本発明は、温度調節機能を有する湯水混合栓に関する。特に感温素子により弁体の位置を適正化して混合水の温度の安定を図るようにした湯水混合栓に関する。
【０００２】
【従来の技術】
従来の温度調節機能部１２Ｘを有する湯水混合栓１Ｘは、図７に示すように、水栓本体２Ｘ内に温度調節機能部１２Ｘと流量調節機能部１３とを配置している。
この温度調節機能部１２Ｘは、感温素子３６と弁体９とバイアススプリング３８を一軸上に配置して、感温素子３６とバイアススプリング３８との付勢力で相互に弁体９を押す構成を有している。
そして、水栓本体２Ｘの端部に配置した温度調節ハンドル３を操作することでバイアススプリング３８を伸縮させて弁体を押す付勢力を変える。すると、弁体９が感温素子３６とバイアススプリング３８との付勢力の釣合う位置に移動する。そのため、弁体９を経由して湯側ポートＢと水側ポートＡとからそれぞれ流入される湯と水との混合比が変わる。
さらに、混合された混合水の温度により感温素子３６の付勢力が変わり、弁体９の位置を移動させて流入される湯と水との混合比を再度変えて、所望の温度の混合水を得るようにしている。
【０００３】
では、図８乃至図９に基づき、従来の温度調節機能部１２Ｘの弁体９から混合水流出口に至る部品の構成について説明する。
湯側ポートＢと水側ポートＡとの開口比を変化させる弁体９と、混合水の温度の変化に応じて弁体９を移動させる付勢力となる感温素子３６と、弁体９と感温素子３６との距離を一定間隔開けて湯と水との混合を促進させるスぺーサー３７と、混合水流出口３５を有して温度調節機能部１２の一端を担う水側ソケット３２とを有している。
そして、水側ソケット３２内に感温素子３６を配置してその感温素子３６の付勢力に応じて軸方向に移動するようにスペーサー３７を配置する。
さらに、スペーサー３７には、弁体９を水が流入する隙間を空けるように被せて配置している。
また、弁体９側のスペーサー３７には、水を旋回させて湯と混ざりやすくするために、フィン３７Ａを設けている。
そして、水側ポートＡから供給される水は、スペーサー３７のフィン３７Ａに沿ってスペーサー３７の中央部流路に進入する。一方、湯は、湯側ポートＢを経て弁体６１中央部流路から流入する。そして、水と湯とがぶつかりあい、攪拌し混合される。
しかしながら、この時点では当然の如く完全には混合されず、フィン３７Ａによる旋回流により湯と水は感温素子３６方向へ旋回しながら流れて混合が促進されるのである。
（たとえば、特許文献１を参照のこと。）
【０００４】
【特許文献１】
特開平８−７５０３７号公報
【０００５】
【発明が解決しようとする課題】
しかしながら、従来の温度調節機能部１２Ｘを備えた湯水混合栓１Ｘにおいては、湯と水の混合不足により、感温素子３６が適切に作動せずに吐水される混合水の温度が必ずしも所望の温度とならないおそれがあった。
上述するように、フィン３７Ａによって旋回流となった水が湯にぶつかり、そして、水の旋回力を維持することで、湯と水は感温素子３６方向へ旋回しながら流れて混合が促進される。
しかしながら、混合が不十分な場合、感温素子３６の上流側は不十分な混合状態の混合水の温度を感知することになる。つまり、感温素子３６の上流側以外は良好に攪拌された混合水が接触したとしても、感温素子３６の上流側は混合が不十分なままの混合水の温度を感知してしまうのである。
したがって、感温素子３６全体の感知温度は不均一となり、結果として感温素子３６は所望の湯水混合温度に見合った作動力を発生できなくなってしまう。
つまり、感温素子３６を用いた温度調節機能部１２Ｘを有する湯水混合栓１Ｘにおいては、混合水の温度に応じて変化する感温素子３６の付勢力は、流入した湯と水との混合比ならびに混合度合によって左右されるため、混合不足が感温素子３６の付勢力に影響を及ぼすのである。
【０００６】
さらに、温度調節機能部１２にて湯と水とが混合された混合水は、混合水流出口３５を経て混合室から流出し、シャワー側出口１４又は吐水管側出口１５を経て水栓本体２Ｘの外部に吐出される。
そして、湯水混合栓１Ｘは、切替ハンドル４を操作することで水栓本体２Ｘ内に配置された流量調節機能部１３が作動し、シャワー側出口１４又は吐水管側出口１５からの流量を調節することが可能である。
そして、ハンドシャワーノズル（図示せず）又は吐水管５から吐出される混合水の流量を流量調節機能部１３にて減少させると、水栓本体２Ｘ内で混合水の流れが滞る。
この時、水側ポートＡ及び湯側ポートＢに流入する湯水の圧力に変化はないが、流量調節機能部１３内において混合水の流れが滞ることで、流量調節機能部１３の内部圧力が上昇することになる。
同時に温度調節機能部１２Ｘの混合室Ｅから流量調節機能部１３へ流入する混合水の流量が抑制されて減少するため、混合室Ｅの内部圧力も上昇することとなる。
つまり、弁体９及びスペーサー３７の下流側における内部圧力の上昇によって、水側ポートＡを開く方向に弁体９及びスペーサー３７を駆動させる。
【０００７】
そのため、混合される水の比率が増えて混合水の温度が所望の温度よりも低くなり、感温素子３６は低い温度を感知して縮み、今度は水側ポートＡを閉じる方向に弁体９およびスペーサー３７を駆動させて水の比率を適正にするように働らこうとする。
しかしながら、このとき内部圧力の上昇が抵抗となるため、弁体９およびスペーサー３７が所望の位置に移動できず、水側ポートＡ側は適切な開き状態とならなくなってしまう。そのため、吐水される混合水の温度は所望の温度よりも低い温度となる。
そのため、この内部圧力の上昇に起因して、その圧力上昇が直接弁体９およびスペーサー３７に影響を及ぼして弁体９を移動させ、湯と水との混合比に影響を及ぼすおそれがあるのである。
よって、特により精度の高い温度調節性能が要求される場合に対しては、設定温度を一定に保つ機能に影響して、この感温素子３６の感知温度と弁体９及びスペーサー３７の駆動のズレが問題になってくる。
【０００８】
以上により、従来の温度調節機能部１２Ｘを有する湯水混合栓１Ｘにおいては、感温素子に影響を及ぼす湯と水との混合度合いだけではなく、さらに、流量調節したときの内部圧力の上昇も湯と水との混合比に影響を及ぼしていた。
よって、吐水量の変動などに対して設定温度を一定に保つ機能に影響して、特により精度の高い温度調節性能が要求される場合に対しては、この感温素子３６の感知温度のズレが問題になってくる。
【０００９】
そこで、本発明では上記の問題点を解決するため、良好に温度調節機能が発揮できるように、十分に湯と水とが混合された混合水の温度によって感温素子の全体に亘って反応するようにし、さらに流量調節したときに良好な温度調節機能の妨げとなる内部圧力の影響を軽減した温度調節機能部を有する湯水混合栓を提供することを目的とする。
【００１０】
【課題を解決するための手段】
本発明の請求項１においては、水側ポートおよび湯側ポートと、該水側ポートと湯側ポートとからそれぞれ流入した水及び湯の混合量を調節する弁体と、該弁体に当接して湯と水の混合を促進させるスペーサーと、該スペーサーを介して前記弁体を駆動する感温素子と、該感温素子を内部に配置して湯と水とを混合した混合水を流出する混合水流出口を備えた水側ソケットと、感温素子が付勢する方向と逆に弁体を付勢するバイアススプリングと、を備えた温度調節機能部を水栓本体内部に配置した湯水混合栓において、前記感温素子の中央部流路の中心軸に沿って湯水の混合を促進させる混合ガイドを備え、かつ、該混合ガイドを水側ソケットに着脱自在に固定したことを特徴とする湯水混合栓とした。
【００１１】
本発明によれば、湯と水との混同された混合水が混合ガイド先端に当り、混合ガイドを中心に放射状に広がりながら、水側ポートＡから混合水流出口方向へ流れることで、混合が促進されるとともに感温素子の両端を含め全体にムラなく当り、良好な温度調節機能を得ることができる。
さらに、混合ガイドは混合水の吐水量を減少させることによる軸線上における水側ポートから混合水流出口方向の内部圧力の増加によって、混合比が変わってしまうように弁体が移動する影響を低減することができる。つまり、混合水流出口から水側ポートの方向への内部圧力を受けても、その力は水側ソケットに固定した混合ガイドに伝わるため、弁体に直接伝わらず、水側ポートを開く方向に弁体を駆動させる大きな力とはならない。
そして、弁体及びスペーサーが駆動する際の抵抗力も発生しないため、感温素子が感知温度に見合った作動力を発生すれば、弁体及びスペーサーが適切に駆動し、設定温度を一定に保つことができる。
【００１２】
本発明の請求項２においては、前記スペーサーの弁体側の端部には、流入する水を旋回させるためのフィンを備えており、かつ、混合ガイドの先端が、このフィンの配置している範囲内に納められていることを特徴とする湯水混合栓とした。
【００１３】
本発明によれば、フィンにより流入する水が旋回して湯と混ざりあうとともに、混合ガイドによってさらに混合が促進されるそのため、十分に混合された混合水が感温素子全域に亘って触れるので、感温素子は適切な反応することができる。
【００１４】
本発明の請求項３においては、前記混合ガイドは、感温素子の中央部流路の中心軸に沿って配置される本体の一端に湾曲面を有する本体端部を備え、他端部に複数の脚を備えるとともに、該脚に座を設け、該座にさらに爪を設けており、前記混合ガイドは、水側ソケットの混合水流出口の端部に座と爪とで挟み込むようにして固定し、かつ、水側ソケットは、水栓本体内部に配置するハウジングに螺合接続することを特徴とする請求項１に記載の湯水混合栓とした。
【００１５】
これにより、水側ソケットを取り付ける際にかかる力を座が吸収することができるので、感温素子にその力を伝達することがない。そのため、感温素子にゆがみや歪が生じることがないので、適切な温度調整性能を発揮することができる。
【００１６】
【発明の実施の形態】
以下に図面を参照して本発明をより具体的に説明する。
図１に本発明における実施例の温度調節機能部を有する湯水混合栓の外観斜視図を、図２に温度調節機能部側の湯水混合栓の断面図を、図３に温度調節機能部の断面図を、図４に温度調節機能部の要部の分解斜視図を、図５に温度調節機能部の要部の断面図を、図６に混合ガイドを示す。
【００１７】
図１において、湯水混合栓１は、筒状の水栓本体２の左側後部には給湯管７、右側後部には給水管８を設けている。さらに、水栓本体２の下部には吐水管５を、後部には先端にハンドシャワーノズル（図示せず）を有するシャワーホース６を設けている。そして、水栓本体２の左側に混合水の温度を調節する温度調節ハンドル３を設け、右側にはハンドシャワーノズル（図示せず）と吐水管５との吐水切り替えとそれぞれの流量調節とを行う切り替えハンドル４を設けている。
【００１８】
図２に示す温度調節機能部１２側の湯水混合栓１の縦断面図に基づき、湯と水の流れを説明する。前述した給湯管７と給水管８から水栓本体２に流入した湯と水とは、温度調節機能部１２内の湯と水とを混合する弁体９の両端の開口部（水側ポートＡおよび湯側ポートＢ）を経て温度調節機能部１２内に流入する。このとき、温度調節ハンドル３を回転作動させることにより、バイアススプリング３８の付勢力を変える。そして、水側ポートＡおよび湯側ポートＢを経由してそれぞれ流入される水と湯との比を変化させて、所望の混合水の温度を得ることができる。
温度調節機能部１２内の混合水流路はさらに、図７に示す従来と同様の流量調節機能部１３に連通している。この流量調節機能部１３内にはシャワー側出口１４、および吐水管側出口１５を各々配置した内筒１０及び外筒１１を有しており、切り替えハンドル４の回転作動によりこれに連動した内筒１０のみが回転して、内筒１０と外筒１１に各々設けられた開口部が一致、或いは不一致を生じて混合水の吐水・止水ならびにハンドシャワーノズルまたは吐水管５の流路の切り替えを行うことができる。
【００１９】
さらに図３を用いて本発明に係る温度調節機能部１２についてさらに詳しく説明する。
温度調節機能部１２は、周壁に水側ポートＡと湯側ポートＢとを軸線方向に間隔をおいて開口しているハウジング３１と、これに螺着された水側ソケット３２とによりカートリッジ状に構成されており、その内部にハウジング３１の内壁をシール面として軸線方向に移動可能に組み込まれほぼ中空円筒状で概略Ｈ状の断面形状を持つ温度調節用の弁体９、等の機能部品を収納している。
【００２０】
図３に示すように、ハウジング３１内の機能部は、主として、弁体９と、水側ソケット３２の水側ポートＡ側で弁体９の軸線方向の一端面に対向する水弁座３３と、ハウジング３１の湯側ポートＢ側で弁体９の軸線方向の端面に対向する湯弁座３４と、水弁座３３の下流側の水側ソケット３２の端部に開けた混合水流出口３５と、水弁座３３から混合水流出口３５までの混合水流路中に組み込まれ弁体９を湯弁座３４側に付勢する感温素子３６と、弁体９と感温素子３６との間に配置して両者を一定距離隔てるスぺーサー３７と、温度設定用のハンドル３に連接して弁体９を水弁座３３側に付勢するバイアススプリング３８とを備えている。
【００２１】
また、弁体９は、その軸線方向の両端を水弁座３３及び湯弁座３４との着座面とし、この弁体の中心に設けられた開口部により水室Ｃと湯室Ｄとが連通している。
また、弁体９の外周りに環状のＯリングを組み込み、このＯリングをハウジング３１の内壁に密着させて弁体外周における水側ポートＡと湯側ポートＢとの連通を遮断している。
【００２２】
次に、スペーサー３７の説明をする。
図３乃至図５に示すように、スペーサー３７は一端が弁体９の隔壁９Ａに突き当たるように組み込まれる。このスペーサー３７は水室Ｃに臨む周壁に湯水の混合を促進するフィン３７Ａを有している。そして、スペーサー３７によって水用の開口を開け、水室Ｃ及び湯室Ｄとが連通し、弁体９の水弁座３３及び湯弁座３４に対する弁開度に応じた量比の水と湯が混合室Ｅへ供給される。
【００２３】
次に感温素子３６について説明する。
図３乃至図５に示すように、感温素子３６は、水側ソケット３２の内端部壁に一端が突き当たり他端をスペーサー３７の端面に付勢して組み込む。この感温素子３６は、混合室Ｅ内を通過する混合水の温度に感応して軸方向の長さが変化し、吐出される混合水の温度が設定温度に保持されるように弁体９をシフトさせる機能を持つ。なお、感温素子３６は形状記憶合金製に限らず、合成樹脂製の形状記憶素子を素材とするものや熱膨張・収縮性を持つワックスを封入した感温体であってもよいが、本発明の構成において最も好ましいのは、感温素子の素材がケーシング等で覆われておらず、温度変化に敏感に反応する形状記憶合金製のスプリングである。
【００２４】
次に混合ガイド３９について説明する。
図６に示すように、混合ガイド３９は、円筒状で、一端部である本体端部３９Ｃが湾曲形状をしており、他端部に斜め方向に広がる複数の脚３９Ｄを備え、かつ、この脚３９Ｄに円盤形状の座３９Ａを設け、さらに爪３９Ｂを延設している。ここで、図６（Ａ）は本体端部３９Ｃからの視図を、図６（Ｂ）は断面図を示している。
そして、図３及び図５に示すように、混合ガイド３９は、水側ソケット３２の混合水流出口３５の外側に爪３９Ｂを引っ掛けて、座３９Ａと爪３９Ｂとにより水側ソケット３２の内端部壁を挟み込み、感温素子３６の中央部流路に挿入するように組み込まれる。このように混合ガイド３９は水側ソケット３２に対して着脱自在な構成としている。
そして、感温素子３６の中央部流路を通過する混合水が、混合ガイド３９の本体端部３９Ｃに当り、混合ガイド３９を中心に放射状に広がりながら、混合ガイド３９に沿って、混合水流出口方向に流れるため、混合が促進される。
そのため、感温素子３６の両端を含め全体にムラなく当たることで、良好な混合水温度を感温素子に感知させることができる。
なお、混合ガイド３９の水側ソケット３２への固定方法は、爪に限らず座３９Ａの外周壁に外ネジ、混合水流出口３５の内周壁に内ネジを加工とすることで、ネジ式の固定としてもよい。
【００２５】
湯室Ｄに組み込まれたバイアススプリング３８は、感温素子３６の伸長方向とは反対方向に弁体９を付勢して水弁座３３側に移動させる機能を持ち、設定温度に応じて弁体９を湯弁座３４側に移動させる感温素子３６の作動に対して弁体９の位置をバランスさせる。
【００２６】
図５は温度調節機能部１２の要部を示した断面図を示す。
混合ガイド３９は爪３９Ｂで水側ソケット３２の混合水流出口３５に固定されている。
また、座３９Ａが感温素子３６と水側ソケット３２の間に介在されている。
そして、混合ガイド３９は、スペーサー３７上端より突出しないようにフィン３７Ａを設けた（軸方向の）範囲内に配置することで、湯と水が混合するときに混合ガイド３９の本体端部３９Ｃに当り、混合ガイド３９を中心に放射状に広がりながら、混合ガイド３９に沿って混合水流出口３５方向に流れる。そのため、混合が促進されて十分に混合された混合水が、感温素子３６の両端を含め全体にムラなく当たり、良好な温度調節機能を得ることができる。
【００２７】
さらに、弁体９に当接して水側流入口に望む位置に形成されたフィン３７Ａにより、水側ポートＡから流れ込む水は、フィン３７Ａの外周部からフィン３７Ａの形状に沿ってスぺーサー３７の軸心に対して旋回しながら弁体９中央部に進入して、湯側ポートＢを経て弁体９の中央部流路から流入してきた湯とぶつかり、湯と水が攪拌して混合が促進されながら、感温素子３６方向に流れる。そして、上述するように、混合水が感温素子３６の中央部流路を流れることで、感温素子３６の中央部流路に配置されている混合ガイド３９の先端に混合水が当り、さらに混合が促進され、混合ガイドを中心に放射状に広がりながら、混合ガイド３９に沿って混合水流出口方向へ流れるので、感温素子全体にムラなく混合水が当る。
したがって、適切に混合された湯水混合温度を感温素子３６が感知するので、温度調節機能が良好に作動することができるのである。
【００２８】
また、混合ガイド３９の端部には水側ソケット３２の混合水流出口３５を貫通してその端面に引っ掛かる爪３９Ｂを有している。この爪３９Ｂで混合ガイド３９を水側ソケット３２に固定することで、混合ガイド３９が混合水の吐水量を減少させることによる軸線上に発生する水側ポートＡから混合水流出口３５方向の内部圧力の上昇の影響、つまり混合水流出口３５から水側ポートＡの方向への内部圧力を受けても、その内部圧力は混合ガイド３９を介して水側ソケット３２に伝わるだけで、弁体９を水側ポートＡを開く方向に駆動させる力は新たに発生しない。
更に、弁体９及びスペーサー３７が駆動する際の抵抗力も発生しないため、感温素子３６が感知温度に見合った作動力を発生すれば、弁体９及びスペーサー３７が適切に駆動し、混合水温度の設定温度を一定に保つことができる。
つまり、混合室Ｅ内に配置されている混合ガイド３９は、軸線上において水側ポートＡから混合水流出口３５方向の内部圧力を本体端部３９Ｃ、脚３９Ｄ、座３９Ａにて受けることができるのである。
そのため、直接内部圧力の変動を弁体が受けることがないため、湯水の混合比に大きな影響を及ぼすことはない。
したがって、混合ガイドを水側ソケットの混合水流出口３５側に固定することで、流量を低減したときに生じる内部圧力の上昇によって弁体の位置移動を抑制することができ、温度調節性能に不具合が生じることを防止することができる。
【００２９】
また、混合ガイド３９の端部には座３９Ａを有しており、温度調節機能部１２を組立てる際、水側ソケット３２を回転させても、座３９Ａを介在させていることで水側ソケット３２の回転力が感温素子３６に伝達されないため、感温素子３６にねじれや歪が生じない。そのため、感温素子３６のねじれや歪による感知性能に影響を与えることがなく、良好な感知性能を発揮することができる。
そして、混合ガイド３９は、本体端部３９Ｃ、脚３９Ｄ、座３９Ａおよび爪３９Ｂを一体で形成しているので、この混合ガイド３９を水側ソケットに取り付けることで、座３９Ａも適切な位置に配置することができる。そのため、部品点数を増やすことなく、また、組立工程を増やすことなく種々の性能の向上を達成することができる。
なお、上述した混合ガイドを水側ソケットと一体としてもよいが、温度調節機能部の組立て時に水側ソケットを回転させる必要がある場合には、感温素子が水側ソケットと共に回転し、感温素子のコイルがねじれや歪を生じさせないように、ワッシャーなどの供回り防止部材を水側ソケットと感温素子との間に介在させることが好ましい。
【００３０】
なお、本発明においては、混合ガイドが水側ソケットに対して着脱自在としているので、高度な温調性能を必要としない浴槽用湯水混合栓では、混合ガイドを外してワッシャーを入れることで、感温素子の通水面積が混合ガイド分大きくなるため、流量を多くすることが出来るように対応することも簡単にできる。
【００３１】
【発明の効果】
本発明は上記構成により次の効果を発揮する。
湯と水との混同された混合水が混合ガイド先端に当り、混合ガイドを中心に放射状に広がりながら、水側ポートＡから混合水流出口方向へ流れることで、混合が促進されるとともに感温素子の両端を含め全体にムラなく当り、良好な温度調節機能を得ることができる。
さらに、混合ガイドは、混合水の吐水量を減少させることによる軸線上に発生する水側ポートから混合水流出口方向の内部圧力の上昇によって、混合比が変わってしまうように弁体が移動する影響を低減することができる。つまり、混合水流出口から水側ポートの方向への内部圧力を受けても、その力は水側ソケットに固定した混合ガイドに伝わるため、弁体に直接伝わらず、水側ポートを開く方向に弁体を駆動させる大きな力とはならない。
そして、弁体及びスペーサーが駆動する際の抵抗力も発生しないため、感温素子が感知温度に見合った作動力を発生すれば、弁体及びスペーサーが適切に駆動し、設定温度を一定に保つことができる。
したがって、良好に温度調節機能が発揮できるように、十分に湯と水とが混合された混合水の温度によって感温素子の全体に亘って反応するようにし、さらに流量調節したときに良好な温度調節機能の妨げとなる内部圧力の影響を軽減した温度調節機能部を有する湯水混合栓を提供することができる。
【図面の簡単な説明】
【図１】本発明における一実施形態の温度調節機能部を有する湯水混合栓の外観斜視図を示す。
【図２】図１に示した温度調節機能部側の湯水混合栓の断面図を示す。
【図３】図２に示した温度調節機能部の断面図を示す。
【図４】図３に示した温度調節機能部の要部の分解斜視図を示す。
【図５】図３に示した温度調節機能部の要部の断面図を示す。
【図６】図３に示した混合ガイドを示す。
【図７】従来の温度調節機能部を有する湯水混合栓の部分断面図を示す。
【図８】図７に示した従来の温度調節機能部の要部における分解斜視図を示す。
【図９】図７に示した従来の温度調節機能部の要部における断面図を示す。
【符号の説明】
Ａ…水側ポート
Ｂ…湯側ポート
Ｃ…水室
Ｄ…湯室
Ｅ…混合室
１…湯水混合栓
２…水栓本体
３…温度調節ハンドル
４…切り替えハンドル
５…吐水管
６…シャワーホース
７…給湯管
８…給水管
９…弁体
１０…内筒
１１…外筒
１２…温度調節機能部
１３…流量調節機能部
１４…シャワー側出口
１５…吐水管側出口
３１…ハウジング
３２…水側ソケット
３３…水弁座
３４…湯弁座
３５…混合水流出口
３６…感温素子
３７…スペーサー
３７Ａ…フィン
３８…バイアススプリング
３９…混合ガイド
３９Ａ…座
３９Ｂ…爪
３９Ｃ…端部
３９Ｄ…脚
【図１】
2004251383.tif 000003
【図２】
2004251383.tif 000004
【図３】
2004251383.tif 000005
【図４】
2004251383.tif 000006
【図５】
2004251383.tif 000007
【図６】
2004251383.tif 000008
【図７】
2004251383.tif 000009
【図８】
2004251383.tif 000010
【図９】
2004251383.tif 000011